(57)【要約】      （修正有）【課題】大型で高重量の洗濯物や多数のハンガーなどをかけることができ、しかも、収納時には小型化でき、分解や組立が簡単な物干し台と組立セットを提供する。【解決手段】本体１、高さ延長部材２、物干し竿、連結部材４を有する物干し台であって、本体が、枠体１１、伸縮部１２、脚部１３を有し、枠体が、一対の枠体ユニット１１１、１１２から成り、伸縮部が、連結部材を介して、枠体ユニットに連結することによって、枠体ユニットが伸縮部を挟んで離間し、脚部が、連結部材を介して枠体に連結し、物干し台の接地面に接触した状態で移動ができ、高さ延長部材が、連結部材を介して本体に連結し、物干し竿が、連結部材を介して本体及び／又は高さ延長部材に固定される。【選択図】図１
0003229075.tif 000002
【実用新案登録請求の範囲】
【請求項１】
本体（１）、高さ延長部材（２）、物干し竿（３）、連結部材（４）を有する物干し台であって、
上記本体（１）が、枠体（１１）、伸縮部（１２）、脚部（１３）を有し、
上記枠体（１１）が、一対の枠体ユニット（１１１，１１２）から成り、
上記伸縮部（１２）が、上記連結部材（４）を介して、上記枠体ユニットの一つ（１１１）と上記枠体ユニットの他方（１１２）とに連結することによって、上記枠体ユニット（１１１，１１２）が上記伸縮部（１２）を挟んで離間し、
上記脚部（１３）が、上記連結部材（４）を介して上記枠体（１１）に連結し、さらに、上記物干し台の接地面に接触した状態で上記接地面に対して移動することができ、
上記高さ延長部材（２）が、上記連結部材（４）を介して上記本体（１）に連結し、
上記物干し竿（３）が、上記連結部材（４）を介して上記本体（１）及び／又は上記高さ延長部材（２）に固定された、
物干し台。
【請求項２】
上記伸縮部（１２）の伸縮状態に応じた距離で、上記一対の枠体ユニット（１１１，１１２）が離間し、
上記高さ延長部材（２）と上記本体（１）との位置関係に応じて、物干し台の接地面に対する上記物干し竿（３）の高さが調節されている、
請求項１に記載の物干し台。
【請求項３】
上記連結部材（４）の回転部が、本体（１）、高さ延長部材（２）、物干し竿（３）のいずれかに接触している、
請求項１に記載の物干し台。
【請求項４】
物干し台を組み立てるための、あるいは、物干し台を分解したものである、組立セットであって、
展開ユニット（１００）、脚部セット（２００）、高さ延長部材（２）、物干し竿（３）、連結部材（４）を含み、
上記展開ユニット（１００）が、一対の枠体ユニット（１０１，１０２）と、上記一対の枠体ユニット（１０１，１０２）に挟まれた伸縮部（１０３）と、上記一対の枠体ユニット（１０１，１０２）と上記伸縮部（１０３）とを連結する連結部材（４）とを含み、
上記一対の枠体ユニット（１０１，１０２）を互いに離間させることによって、上記一対の枠体ユニット（１０１，１０２）と上記伸縮部（１０３）とがＺ字を描くように、上記展開用ユニット（１００）が展開し、
上記脚部セット（２００）が、一対の脚部ユニット（２０１，２０２）からなり、
上記一対の脚部ユニット（２０１，２０２）のそれぞれは、上記連結部材（４）を介して上記一対の枠体ユニット（１０１，１０２）のそれぞれに連結することができ、さらに、上記物干し台の接地面に接触した状態で上記接地面に対して移動することができ、
上記高さ延長部材（２）を、上記連結部材（４）を介して、上記一対の枠体ユニット（１０１，１０２）に連結することができ、
上記物干し竿（２）を、上記連結部材（４）を介して、上記一対の枠体ユニット（１０１，１０２）及び／又は上記高さ延長部材（２）に固定することができる、
組立セット。
【請求項５】
上記展開ユニット（１００）において、
枠体ユニット（１０１）を構成するパイプと上記伸縮部（１０３）とが連結部材（４１）で連結し、
枠体ユニット（１０２）を構成するパイプと上記伸縮部（１０３）とが連結部材（４２）で連結し、
上記連結部材（４１）を軸に上記枠体ユニット（１０１）が回転可能であり、かつ／あるいは、上記連結部材（４２）を軸に上記枠体ユニット（１０２）が回転可能である、
請求項４に記載の組立セット。
【請求項６】
上記連結部材（４）の回転部に、枠体ユニット（１０１，１０２）、脚部ユニット（２０１，２０２）、高さ延長部材（２）、物干し竿（３）の１つ以上を挿入することができる、
請求項４に記載の組立セット。
【考案の詳細な説明】
【技術分野】
【０００１】
本考案は、物干し台と、これを組み立てるための組立セットに関する。
【背景技術】
【０００２】
洗濯物を乾かすための物干し台として様々な製品が提案されている。例えば特許文献１にはアーム部を展開と折り畳みが可能な物干し台が記載されている。この物干し台は、アームの位置を調節することによって比較的大型で高重量の洗濯物を狭いスペースで干すことを可能にしている。しかしながらこの物干し台は、土台を簡単に移動することができないため、室内での使用には適さず簡単に収納することができない。一方、特許文献２には、折り畳みが容易で収納に適した物干し台が記載されている。しかし、この物干し台は両手で挟んで折り畳み、片手でも持ち運べることを想定しており、シーツなどの大型洗濯物や多数のハンガーなどを掛けることができない。また特許文献３には折り畳み式で比較的多量の洗濯物を干すことができる物干し台が記載されている。しかし、この物干し台では横桟の長さや高さの変更は制限されており、簡易な構造であることから、大型で高重量の洗濯物には十分に対応することができない。
【０００３】
このように、大型で高重量の洗濯物や多数のハンガーなどをかけることができ、しかも、収納時には小型化でき、分解や組立が簡単な物干し台は、未だ提案されていない。
【先行技術文献】
【特許文献】
【０００４】
【特許文献１】特開２００２−２４８２９８号公報
【特許文献２】実用新案登録第３１０２６９２号公報
【特許文献３】特開平７−０２４１９１号公報
【考案の概要】
【考案が解決しようとする課題】
【０００５】
そこで本考案者は、堅牢な構造で比較的大型、かつ、物流コストを削減するためにコンパクトな荷姿を実現するために、分解や組立が簡単な物干し台を探求した。
【課題を解決するための手段】
【０００６】
その結果、本考案者は以下のような物干し台と組立セットで問題を解決することに成功した。
（考案１）  本体（１）、高さ延長部材（２）、物干し竿（３）、連結部材（４）を有する物干し台であって、
上記本体（１）が、枠体（１１）、伸縮部（１２）、脚部（１３）を有し、
上記枠体（１１）が、一対の枠体ユニット（１１１，１１２）から成り、
上記伸縮部（１２）が、上記連結部材（４）を介して、上記枠体ユニットの一つ（１１１）と上記枠体ユニットの他方（１１２）とに連結することによって、上記枠体ユニット（１１１，１１２）が上記伸縮部（１２）を挟んで離間し、
上記脚部（１３）が、上記連結部材（４）を介して上記枠体（１１）に連結し、さらに、上記物干し台の接地面に接触した状態で上記接地面に対して移動することができ、
上記高さ延長部材（２）が、上記連結部材（４）を介して上記本体（１）に連結し、
上記物干し竿（３）が、上記連結部材（４）を介して上記本体（１）及び／又は上記高さ延長部材（２）に固定された、
物干し台。
（考案２）  上記伸縮部（１２）の伸縮状態に応じた距離で、上記一対の枠体ユニット（１１１，１１２）が離間し、
上記高さ延長部材（２）と上記本体（１）との位置関係に応じて、物干し台の接地面に対する上記物干し竿（３）の高さが調節されている、
考案１の物干し台。
（考案３）  上記連結部材（４）の回転部が、本体（１）、高さ延長部材（２）、物干し竿（３）のいずれかに接触している、
考案１の物干し台。
（考案４）  物干し台を組み立てるための、あるいは、物干し台を分解したものである、組立セットであって、
展開ユニット（１００）、脚部セット（２００）、高さ延長部材（２）、物干し竿（３）、連結部材（４）を含み、
上記展開ユニット（１００）が、一対の枠体ユニット（１０１，１０２）と、上記一対の枠体ユニット（１０１，１０２）に挟まれた伸縮部（１０３）と、上記一対の枠体ユニット（１０１，１０２）と上記伸縮部（１０３）とを連結する連結部材（４）とを含み、
上記一対の枠体ユニット（１０１，１０２）を互いに離間させることによって、上記一対の枠体ユニット（１０１，１０２）と上記伸縮部（１０３）とがＺ字を描くように、上記展開用ユニット（１００）が展開し、
上記脚部セット（２００）が、一対の脚部ユニット（２０１，２０２）からなり、
上記一対の脚部ユニット（２０１，２０２）のそれぞれは、上記連結部材（４）を介して上記一対の枠体ユニット（１０１，１０２）のそれぞれに連結することができ、さらに、上記物干し台の接地面に接触した状態で上記接地面に対して移動することができ、
上記高さ延長部材（２）を、上記連結部材（４）を介して、上記一対の枠体ユニット（１０１，１０２）に連結することができ、
上記物干し竿（２）を、上記連結部材（４）を介して、上記一対の枠体ユニット（１０１，１０２）及び／又は上記高さ延長部材（２）に固定することができる、
組立セット。
（考案５）  上記展開ユニット（１００）において、
枠体ユニット（１０１）を構成するパイプと上記伸縮部（１０３）とが連結部材（４１）で連結し、
枠体ユニット（１０２）を構成するパイプと上記伸縮部（１０３）とが連結部材（４２）で連結し、
上記連結部材（４１）を軸に上記枠体ユニット（１０１）が回転可能であり、かつ／あるいは、上記連結部材（４２）を軸に上記枠体ユニット（１０２）が回転可能である、
考案４の組立セット。
（考案６）  上記連結部材（４）の回転部に、枠体ユニット（１０１，１０２）、脚部ユニット（２０１，２０２）、高さ延長部材（２）、物干し竿（３）の１つ以上を挿入することができる、
考案４の組立セット。
【０００７】
本考案では、物干し台に取り付ける物品は、洗って水分を含んだ衣類に限らず、洗濯済みかどうか、水分含有量に関わらず、外気や日光に当てるために物干し台に取り付けられた衣類、寝具、履物、日用品、ペット用品を含む。便宜上、本明細書では、これらの物品を「洗濯物」と呼ぶ。さらに上記物品は、これらを保持するハンガーやフックなどのつり下げ用具の全てを含む。
【考案の効果】
【０００８】
本考案の物干し台は、大型の洗濯物にも小型の洗濯物にも適した状態に、物干し竿（２）の位置を固定することができる。また本考案の物干し台は、洗濯物、ハンガーやフックなどの数や形状に応じて、本体（１）、高さ延長部材（２）、物干し竿（３）の大きさ、長さ、配置を調節することができる。
【０００９】
本考案の組立セットは、あらかじめ部品が連結されたコンパクトな展開ユニット（１０）を用いることによって、小型で単純な部品から出発して、簡単に、物干し台を組み立てることを可能にする。本考案の組立セットから得られる物干し台を、簡単に、再び小型で単純な部品からなる組立セットに分解することができる。本考案の組立セットは狭い場所に収納することができる。また、梱包時に梱包箱の縦・横・高さの合計が１６０センチメートル以内にすることが可能となり、コンパクトな荷姿を実現することができ、物流コストの削減もすることができる。
【図面の簡単な説明】
【００１０】
【図１】本考案の物干し台の１例を模式的に示す。
【図２】本考案で用いる連結部材（４）の１例を模式的に示す。溝や突起による陰影を点線で示す。
【図３】本考案で用いる展開ユニット（１００）の１例を模式的に示す。
【図４】本考案で用いる脚部セット（２００）の１例を模式的に示す。
【図５】本考案の組立セットから物干し台を組み立てる様子の一部を、模式的に示す。
【考案を実施するための形態】
【００１１】
［物干し台］  本考案の物干し台は、本体（１）、高さ延長部材（２）、物干し竿（３）、連結部材（４）を有する。以下、それぞれの構成部材について説明する。
【００１２】
［本体（１）］  本体（１）は枠体（１１）、伸縮部（１２）、脚部（１３）を有する。物干し台の強度や通気性を確保するために、一般的には、枠体（１１）、伸縮部（１２）、脚部（１３）を棒状あるいは長尺の部品で構成する。特に枠体（１１）と脚部（１３）を構成する部材としては、特にパイプ部材が好ましい。パイプ部材の材質としては、木材、硬質プラスチック、繊維強化プラスチック、金属などを用いることができる。耐久性や耐腐食性の点で、ステンレス製パイプが好ましい。
【００１３】
［枠体（１１）］  枠体（１１）は、一対の枠体ユニット（１１１，１１２）から成る。一対の枠体ユニット（１１１，１１２）のそれぞれは、典型的には、物干し台の接地面に対して垂直な２本のパイプ部材と、この２辺の上端に連結する上記接地面に対して水平な１本のパイプ部材との、連結体である。上記３本のパイプ部材は、連結部材（４）によって結合している。一方の枠体ユニット（１１１）と他方の枠体ユニット（１１２）とは、対称または同一の構造をとる。
【００１４】
［伸縮部（１２）］  伸縮部（１２）は、上記連結部材（４）を介して、上記枠体ユニットの一つ（１１１）と上記枠体ユニットの他方（１１２）とに連結する。その結果、上記一対の枠体ユニット（１１１，１１２）が上記伸縮部（１２）を挟んで離間する。枠体ユニット（１１１，１１２）の離間距離は伸縮部（１２）の伸縮状態に応じて調整される。伸縮部（１２）が最も伸びた状態で、枠体ユニット（１１１，１１２）の離間距離は最長である。伸縮部（１２）が最も縮んだ状態で、枠体ユニット（１１１，１１２）の離間距離は最短である。伸縮部（１２）の伸縮状態を自由に調節し、かつ、適当な伸縮状態で伸縮部（１２）の形状を安定させるためには、伸縮部（１２）が比較的多数の点で適度な締め付け力で屈曲するように、伸縮部（１２）の構成部材を配置する。典型的には、比較的多数の長尺部材（１２１）の端部同士を、連結部（１２２）で連結する。連結部（１２２）においてパイプ部材同士が旋回することができる。同時に、連結部（１２２）が適度な力で連結するパイプ部材同士を締め付ける。その結果、伸縮部（１２）は使用者が調節した伸縮状態に変形し、所望の伸縮形状で安定する。
【００１５】
［脚部（１３）］  脚部（１３）は、物干し台の底部にあって、物干し台を支持し、かつ、移動するための部位である。脚部（１３）は、好ましくはパイプ部材（１３１）と移動手段（１３２）とからなる。脚部（１３）は上記連結部材（４）を介して上記枠体（１１）に連結する。脚部（１３）は、キャスターなどの移動手段によって、上記物干し台の接地面に接触した状態で上記接地面に対して移動することができる。
【００１６】
［高さ延長部材（２）］  高さ延長部材（２）は、上記連結部材（４）を介して上記本体（１）に連結する。高さ延長部材（２）も、枠体（１１）と脚部（１３）と同様に、好ましくはパイプ部材からなる。このようなパイプ部材の材質としては、木材、硬質プラスチック、繊維強化プラスチック、金属などを用いることができる。耐久性や耐腐食性の点で、ステンレス製パイプが好ましい。好ましくは、本体（１）のパイプ部材の内部に、これと摺動可能にパイプ状の高さ延長部材（２）を挿入し、高さ延長部材（２）の先端を本体（１）先端から適当な長さで突出させる。本体（１）と高さ延長部材（２）の位置関係は、連結部材（４）で固定される。一方の枠体ユニット（１１１）に連結した高さ延長部材（２１）と、他方の枠体ユニット（１１２）に連結した高さ延長部材（２２）は、対称または同一の構造をとる。すなわち、対称な一対の高さ延長部材（２１，２２）の上端部を結ぶ線は、物干し台の接地面に対して水平な位置にある。
【００１７】
［物干し竿（３）］  物干し竿（３）は、連結部材（４）を介して上記本体（１）及び／又は上記高さ延長部材（２）に固定される。一般的には、物干し竿（３）の少なくとも１本（３１）が一対の枠体ユニット（１１１，１１２）の間に差し渡され、物干し竿（３）の他の少なくとも１本（３２）が一対の高さ延長部材（２）の間に差し渡される。本体（１）と延長部材（２）の位置関係に応じて、物干し台の接地面に対する上記物干し竿（３）のそれぞれの高さが調節される。高さ延長部材（２）が本体（１）に対して最高位置まで突出した状態では、上記高さ延長部材（２）に固定された物干し竿（３２）の高さは最高となる。高さ延長部材（２）を本体（１）に最も挿入した状態では、上記高さ延長部材（２）に固定された物干し竿（３２）の高さは、本体上に固定された物干し竿（３１）の高さに最も近づく。
【００１８】
［連結部材（４）］  連結部材（４）は、本体（１）、高さ延長部材（２）、物干し竿（３）のいずれかに接触している。本考案の物干し台の組立、分解、形状調節を簡単に行うためには、連結部材（４）を構成する部品点数を最少にすることが望ましい。好ましくは、連結部材（４）の回転部（４０１）で、連結部材（４）と本体（１）、高さ延長部材（２）、物干し竿（３）のいずれかを連結する。本体（１）、高さ延長部材（２）、物干し竿（３）がパイプ部材からなる場合、回転部（４０１）の開放によって連結部材（４）に対して本体（１）のパイプ部材、高さ延長部材（２）、物干し竿（３）の出し入れが自由となり、回転部（４０１）の締付によって連結部材（４）に対して本体（１）のパイプ部材、高さ延長部材（２）、物干し竿（３）が固定される。この場合に、回転部（４０１）は連結部材（４）と一体化している。ネジのような連結部材（４）から分離する部材は、回転部（４０１）の開放と締付に必要とされない。
【００１９】
［組立セット］  別の本考案である組立セットは、上記物干し台を組み立てるためのセットであり、あるいは、上記物干し台を分解したセットである。本考案の組立セットは、展開ユニット（１００）、脚部セット（２００）、高さ延長部材（２）、物干し竿（３）、連結部材（４）を含む。
【００２０】
［展開ユニット（１００）］  展開ユニット（１００）は、一対の枠体ユニット（１０１，１０２）と、上記一対の枠体ユニット（１０１，１０２）に挟まれた伸縮部（１０３）と、上記一対の枠体ユニット（１０１，１０２）と上記伸縮部（１０３）とを連結する連結部材（４）とを含む。すなわち、本考案の組立セットにおいて、展開ユニット（１００）は、上記一対の枠体ユニット（１０１，１０２）と上記伸縮部（１０３）とが上記連結部材（４）を介してあらかじめ一体化されたものである。本考案の組立セットを用いる場合、物干し台の組立と分解のいずれにおいても、展開ユニット（１００）は最小単位の一つとして扱われる。
【００２１】
本考案では、好ましくは、一つの枠体ユニット（１０１）を構成するパイプ部材と伸縮部（１０３）とが、これらに対して回転可能な連結部材（４１）を介して連結し、さらに、他方の枠体ユニット（１０２）を構成するパイプ部材と伸縮部（１０３）とが、これらに対して回転可能な連結部材（４２）を介して連結する。そしてさらに、伸縮部（１０３）の中心に対して展開ユニット（１００）の各部が点対象となるように、枠体ユニット（１０１，１０２）と上記伸縮部（１０３）とを連結部材（４１，４２）を支点に折り曲げる。枠体ユニット（１０１，１０２）と上記伸縮部（１０３）とが最も接近した状態が展開ユニット（１００）のいわゆる荷姿であり、この荷姿で展開ユニット（１００）は梱包箱詰めされて流通する。
【００２２】
本考案の組立セットから物干し台を組み立てる際には、上述の荷姿で使用者に提供された展開ユニット（１００）を取り出し、一方の枠体ユニット（１０１）と他方の枠体ユニット（１０２）とが遠ざかるように展開ユニット（１００）を展開する。すると、上記一対の枠体ユニット（１０１，１０２）と上記伸縮部（１０３）とがＺ字を描くように、上記展開ユニット（１００）が変形する。
【００２３】
展開ユニット（１００）が適当な展開位置になったら、枠体ユニット（１０１，１０２）のいずれか一方を、これが連結する連結部材（４１，４２）のいずれかに対して回転させて、枠体ユニット（１０１，１０２）を伸縮部（１０３）に対して同じ方向に屈曲させ突出させる。さらに、枠体ユニット（１０１）と枠体ユニット（１０２）とを正対させて、本考案の物干し台の本体（１）に応じた形状を生成する。
【００２４】
［脚部セット（２００）］  脚部セット（２００）は、一対の脚部ユニット（２０１，２０２）からなる。脚部ユニット（２０１，２０２）のそれぞれは、好ましくは、パイプ部材（２０１１，２０２１）とキャスターなどの移動手段（２０１２，２０２２）とからなる。上記展開ユニット（１００）を展開する前に、連結部材（４）を介して、脚部ユニット（２０１，２０２）のそれぞれを枠体ユニット（１０１，１０２）のそれぞれに連結させることができる。この場合、展開ユニット（１００）を展開し、枠体ユニット（１０１，１０２）の一方を回転させ、枠体ユニット（１０１）と枠体ユニット（１０２）を正対させると、接地面に対して移動可能な本考案の物干し台の本体（１）が完成する。
【００２５】
この後、高さ延長部材（２）を、上記連結部材（４）を介して、上記一対の枠体ユニット（１０１，１０２）に連結し、物干し竿（２）を、上記連結部材（４）を介して、上記一対の枠体ユニット（１０１，１０２）及び／又は上記高さ延長部材（２）に固定すると、本考案の物干し台が完成する。
【００２６】
［分解、収納］  本考案の物干し台を分解する場合は、まず、高さ延長部材（２）を枠体ユニット（１０１，１０２）から外し、物干し竿（２）を枠体ユニット（１０１，１０２）及び／又は高さ延長部材（２）から外す。次に、展開ユニット（１００）と脚部セット（２００）とを分離し、あるいは、分離しないで、枠体ユニット（１０１，１０２）の一方を回転させて伸縮部（１０３）の中心に対して展開ユニット（１００）の各部が点対象となるように、展開ユニット（１００）を変形する。さらに、枠体ユニット（１０１，１０２）と上記伸縮部（１０３）とを連結部材（４１，４２）に対して折り曲げて、枠体ユニット（１０１，１０２）と上記伸縮部（１０３）とを最接近させると、展開ユニット（１００）は収納に適した最も薄型形状に戻る。
【００２７】
［その他の部材］  本考案の物干し台及び組立セットは、タオルかけやフックのような付属品（５）を含んでいてもよい。このような付属品（５）の数、形状、配置は特に制限されない。洗濯物の数や形状に応じて、このような付属品（５）のバリエーションを調節することができる。
【実施例】
【００２８】
本考案の例を図１〜図５を参照させて説明する。図１〜図５は本考案とその構成部材を模式的に示しており、実際の大きさ、形状、位置関係を正確に図示したものではない。本考案は図１〜図５の表現に限定されない。
【００２９】
［物干し台］  図１に、本考案の物干し台の１例を模式的に示す。枠体ユニット（１１１，１１２）のそれぞれは、物干し台の接地面に垂直な２本のステンレスパイプと物干し台の接地面に水平な１本のステンレスパイプを含む。枠体ユニット（１１１）の面と枠体ユニット（１１２）の面とは、伸縮部（１２）を介して離間し正対している。
【００３０】
伸縮部（１２）は複数の長尺板状ステンレス部材（１２１）と複数の連結部（１２２）からなり、連結部（１２２）で連結する長尺板状ステンレス部材（１２１）の端部がネジ型部材で挟持されている。連結部（１２２）で接続する２本の長尺板状ステンレス部材（１２１）がなす角度を変化させることによって、一対の枠体ユニット（１１１，１１２）の離間距離が調節される。物干し竿（３）は、一対の枠体ユニット（１１１，１１２）の上端に差し渡された物干し竿（３１）と、一対の高さ延長部材（２１，２２）の上端に差し渡された物干し竿（３２）とからなる。物干し竿（３１，３２）の高さに応じて、洗濯物やハンガー、フックが掛けられる。本体の脚部（１３）は合計２本のパイプ部材（１３１）と合計４つのキャスター（１３２）を含む。上記キャスター（１３２）によって、図１に示す物干し台は、接地面上を移動することができる。
【００３１】
［連結部材（４）］  図２に、本考案で用いる連結部材（４）の１例を模式的に示す。溝や突起による陰影を点線で示す。連結部材（４）の回転部（４０１）にパイプ部材が挿入され、固定される。
【００３２】
［展開ユニット（１００）］  図３に、本考案で用いる展開ユニット（１００）の１例を模式的に示す。図３では枠体ユニット（１０１）、枠体ユニット（１０２）、伸縮部（１０３）の接続関係を理解しやすいように、枠体ユニット（１０１）と枠体ユニット（１０２）を色分けしているが、実際には、枠体ユニット（１０１）と枠体ユニット（１０２）は同じ材質、外観を有している。図３は、本考案で用いる展開ユニット（１００）が最も小型・薄型に折り畳まれた状態を示す。この状態で、展開ユニット（１００）を薄型の袋や箱の包装材に収納することができる。
【００３３】
［脚部セット（２００）］  図４に、本考案で用いる脚部セット（２００）の１例を模式的に示す。脚部セット（２００）は脚部ユニット（２０１）と脚部ユニット（２０２）からなる。脚部ユニット（２０１）は１本のステンレスパイプ（２０１１）と２個のキャスター（２０１２）を含む。脚部ユニット（２０２）は１本のステンレスパイプ（２０２１）と２個のキャスター（２０２２）を含む。図４では、キャスター（２０１２，２０２２）とパイプ部材（２０１１，２０２１）を連結するネジなどの部品を省略している。
【００３４】
［物干し台の組立］  図５に、本考案の組立セットを用いて物干し台を組み立てる様子を模式的に示す。図５には、オプション部材として提供されたタオルかけ（５）も示されている。タオルかけ（５）はフックで枠体ユニット（１０１）のステンレスパイプに取り付けられている。
【００３５】
図５（ａ）は、枠体ユニット（１０１）が枠体ユニット（１０２）から遠ざかる向き（矢印の向き）に動く様子を示す。枠体ユニット（１０１，１０２）には、あらかじめ脚部ユニット（２０１，２０２）が連結されている。脚部ユニット（２０１，２０２）のキャスターを転がしながら、枠体ユニット（１０１）を枠体ユニット（１０２）から離間させると、少ない力で枠体ユニット（１０１）を移動することができる。この時、展開ユニット（１００）を上方から見ると（接地面を見下ろすと）、枠体ユニット（１０１），伸縮部（１０３）、枠体ユニット（１０２）が点線に従ったＺ字状の屈曲線を描く。
【００３６】
図５（ｂ）は、枠体ユニット（１０１）が適当な位置まで移動した後に、矢印で示すように、枠体ユニット（１０１）を連結部材（４１）を中心に回転させる様子を示す。回転の結果、枠体ユニット（１０１）は、伸縮部（１０３）に対して枠体ユニット（１０２）と同じ方向に突出する。
【００３７】
図５（ｃ）は、続いて、枠体ユニット（１０１），伸縮部（１０３）、枠体ユニット（１０２）の屈曲状態を調整する様子を示す。ここで、枠体ユニット（１０１）と枠体ユニット（１０２）とが、点線で示す位置で完全に向かい合う。実際には接地面に点線は表示されていない。点線は使用者の目安となる向きである。調整が終わると、枠体ユニット（１０１），伸縮部（１０３）、枠体ユニット（１０２）は上から見てコの字に屈曲する。すなわち、枠体ユニット（１０１）の面と伸縮部（１０３）の面とが垂直角をなし、枠体ユニット（１０２）の面と伸縮部（１０３）の面とが垂直角をなす。こうして、一対の枠体ユニット（１０１，１０２）が積載物に対して最も安定な形状となる。この後、枠体ユニット（１０１，１０２）の上部に連結部材（４）を介して高さ延長部材（２）と物干し竿（３）を連結することにより、本考案の物干し台が完成する。
【００３８】
本考案の物干し台を分解する際には、図５（ｃ）の状態から図５（ｂ）の状態へ、次に図５（ｂ）の状態から図５（ａ）の状態に戻す。こうして展開ユニット（１００）は、収納に適したコンパクトな状態に戻る。さらに、図５（ａ）に示された枠体ユニット（１０１，１０２）から脚部ユニット（２０１，２０２）を外すと、展開ユニット（１００）はさらにコンパクトな形状に折り畳まれる。
【産業上の利用可能性】
【００３９】
本考案の物干し台を構成する本体（１）、高さ延長部材（２）、物干し竿（３）、連結部材（４）の位置を、洗濯物の形状や重量に応じた最適な位置に調整することができる。しかも、本体（１）は比較的高重量に耐える構造を有し、物干し台の接地面を移動することができる。このような本考案の物干し台は、屋内外の洗濯物干し作業を効率化することができる。
【００４０】
また、本考案の組立セットは予め組み立てられた展開ユニット（１００）を有するので、部品点数が比較的少ない。また、展開ユニット（１００）を単純な操作で所定の形状に調整することができる。このため、本考案の組立セットを用いると、簡単な作業で物干し台を組み立てることができ、簡単な作業で完成した物干し台を再びコンパクトな組立セットに戻して収納・保管することもできる。これにより、梱包時に梱包箱の縦・横・高さの合計が１６０センチメートル以内にすることが可能となり、コンパクトな荷姿を実現することができ、物流コストの削減もすることができる。
【００４１】
このような本考案の物干し台と組立セットは、様々な住宅事情に対応する便利な日常道具である。本考案の物干し台と組立セットは住環境を改善するために有用である。
【符号の説明】
【００４２】
１  本体
１１  枠体
１１１，１１２  枠体ユニット
１２  伸縮部
１２１  長尺部材
１２２  連結部
１３  脚部
１３１  パイプ部材
１３２  移動手段
２  高さ延長部材
２１  高さ延長部材
２２  高さ延長部材
３  物干し竿
３１，３２  物干し竿
４  連結部材
４１，４２連結部材
４０１  回転部
５  付属品（タオルかけ）
１００  展開ユニット
１０１，１０２  枠体ユニット
１０３  伸縮部
２００  脚部セット
２０１，２０２  脚部ユニット
２０１１，２０２１  パイプ部材
２０１２，２０２２  移動手段（キャスター）
【図１】
0003229075.tif 000003
【図２】
0003229075.tif 000004
【図３】
0003229075.tif 000005
【図４】
0003229075.tif 000006
【図５】
0003229075.tif 000007